(57)【要約】【課題】  水道水の流れを止めることなくカートリッジの交換を行え、地面に形成したピット内に設置した場合でも水道管への接続や三方弁の操作を簡単に行える。【解決手段】  水道水Ｗの流入口１ａと流出口１ｂを有する容器Ａと、容器Ａ内に内蔵されて水道水Ｗを浄化するカートリッジＢと、容器Ａの流入口１ａと流出口１ｂとの間に設けられ、水道水Ｗの浄化時には水道水Ｗを容器Ａ内へ流し、カートリッジＢの交換時には水道水Ｗを直接下流側の水道管へ流すバイパスユニットＣとから成る縦型の浄水器であって、バイパスユニットＣが、容器Ａの流入口１ａ及び流出口１ｂに夫々接続された流入側ガイド管１２及び流出側ガイド管１５と、両ガイド管１２，１５に夫々接続された流入側三方弁１４及び流出側三方弁１６と、両三方弁１４，１６同士を接続するバイパス管１７とから成り、両三方弁１４，１６の高さ位置を容器Ａの中間部と同じ高さ位置又はそれよりも高くする。【選択図】      図１
0003108450.tif 000002
【実用新案登録請求の範囲】
【請求項１】
下端部に水道水Ｗの流入口（１ａ）及び流出口（１ｂ）を有する縦長の開閉可能な密閉状の容器（Ａ）と、容器（Ａ）内に着脱自在に内蔵され、容器（Ａ）内に流入した水道水Ｗを少なくとも浄化するフィルターを備えたカートリッジ（Ｂ）と、容器（Ａ）の流入口（１ａ）と流出口（１ｂ）との間に設けられ、水道水Ｗの浄化時には上流側の水道管からの水道水Ｗを容器（Ａ）内へ流すと共に、カートリッジ（Ｂ）の交換時には上流側の水道管からの水道水Ｗを直接下流側の水道管側へ流す切り換え操作可能なバイパスユニット（Ｃ）とから成る縦型の浄水器であって、前記バイパスユニット（Ｃ）は、容器（Ａ）の流入口（１ａ）に接続されて上方へ立ち上げられた流入側ガイド管（１２）と、流入側ガイド管（１２）の上端部に二つある出口（１４ａ），（１４ｂ）の一方の出口（１４ａ）が接続された流入側三方弁（１４）と、容器（Ａ）の流出口（１ｂ）に接続されて上方へ立ち上げられた流出側ガイド管（１５）と、流出側ガイド管（１５）の上端部に二つある入口（１６ａ），（１６ｂ）の一方の入口（１６ａ）が接続された流出側三方弁（１６）と、流入側三方弁（１４）の他方の出口（１４ｂ）と流出側三方弁（１６）の他方の入口（１６ｂ）を接続するバイパス管（１７）とを備えており、水道水Ｗの流れを切り換え操作する流入側三方弁（１４）及び流出側三方弁（１６）の高さ位置を容器（Ａ）の中間部と同じ高さ位置又は容器（Ａ）の中間部よりも高い位置としたことを特徴とする浄水器。
【請求項２】
容器（Ａ）の底部に水道水Ｗの流出口（１ｂ）に連通する筒状の支持部（１ｅ）を形成し、又、カートリッジ（Ｂ）の下端部に容器（Ａ）の支持部（１ｅ）に着脱自在に嵌合されて浄化された水道水Ｗが流出する筒状の出口部を形成し、前記容器（Ａ）の支持部（１ｅ）にカートリッジ（Ｂ）の出口部をＯリング（４）を介して着脱自在に嵌合し、容器（Ａ）の支持部（１ｅ）とカートリッジ（Ｂ）の出口部との間をＯリング（４）によりシールするようにしたことを特徴とする請求項１に記載の浄水器。
【請求項３】
容器（Ａ）が、下端部に水道水Ｗの流入口（１ａ）及び流出口（１ｂ）を有すると共に、上端部にフランジ（１ｆ）を備えた有底筒状の容器本体（１）と、容器本体（１）のフランジ（１ｆ）に重ね合わされるフランジ（２ａ）を有し、容器本体（１）の上方開口部を開閉するキャップ（２）と、重ね合わされた容器本体（１）とキャップ（２）の両フランジ（１ｆ），（２ａ）に嵌め込まれ、両フランジ（１ｆ），（２ａ）を締め付け固定する半割り構造の環状のクランプ（３）とから成り、容器本体（１）の上端部にキャップ（２）の内周面へ着脱自在に嵌合される上向きの環状の突出片（１ｇ）を形成すると共に、当該突出片（１ｇ）をＯリング（４）を介してキャップ（２）の内周面に着脱自在に嵌合し、容器本体（１）の突出片（１ｇ）とキャップ（２）との間をＯリング（４）によりシールするようにしたことを特徴とする請求項１又は請求項２に記載の浄水器。
【考案の詳細な説明】
【技術分野】
【０００１】
本考案は、主に個人住宅やマンション等の水道管の途中（例えば、水道メーターの下流側に位置する水道管）に設置されて飲料用や調理用、洗面用、風呂用等に用いる水道水をまとめて浄化処理する浄水器に係り、特に、水道水をバイパスさせるバイパス機能を設けることによって、カートリッジの交換時に水道水の流れを止めることなく、カートリッジの取り換えを行えるようにしたバイパス機能付きの浄水器に関するものである。
【背景技術】
【０００２】
近年、公共の水道水の水質の悪化が問題となっている。これは、水道水の原水の水質が悪化しており、それに伴って浄水場に於いて酸化剤や滅菌剤としての塩素を多量に注入する必要が生じているからである。
水道水に多量の塩素が含まれていると、味が悪くなったり、異臭がしたり、更には人体の健康上の点からも好ましくない。このため、各家庭に於いては、水道水を浄化処理する浄水器が使用されることが多くなって来ている。この浄水器は、家庭の水道機器の中で最も多く飲用等に使用される台所の蛇口に取り付けられているのが一般的である。
【０００３】
ところで、台所の蛇口のみに浄水器を設置した場合、浄化されていない水道水が給湯器内に直接流入し、給湯器内の熱交換管やバルブ、給湯器の出口側に接続された給湯管にスケールが付着し易くなり、給湯器の故障の原因になることがある。
又、浴室で使用する水道水やお湯は、塩素や有機物等の有害物質が除去されていないため、肌や髪の毛を傷めたりすると云う問題が発生している。
【０００４】
そこで、これらの問題を解決するため、一般家庭等の水道メーターの下流側に位置する水道管に介設され、給湯器や台所、浴室、洗面所等で使用する全ての水道水をまとめて浄化処理するようにした浄水器が広く利用に供されている（例えば、特許文献１参照）。
【０００５】
即ち、前記浄水器（図示省略）は、下端部に水道水の流入口及び浄化された水道水の流出口を形成した縦長の開閉可能な密閉状の容器と、容器内に着脱自在に内蔵され、濁度フィルター、繊維状活性炭フィルター及びセラミックフィルター等から成るカートリッジとから構成されており、容器の流入口及び流出口が水道メーターの下流側に位置する水道管に夫々接続されている。
又、浄水器の容器は、水道水の流入口及び流出口を形成した基盤部と、基盤部の上面側に取り付けた筒状のケーシングと、ケーシングの上端部に取り付けたヘッドキャップとから構成されており、内部に内蔵したカートリッジを交換できるようにヘッドキャップがケーシングに対して着脱自在となっている。
【０００６】
而して，前記浄水器に於いては、水道メーターを通った水道水が全て浄水器に流入し、ここで浄化処理されてから浄水器の下流側の水道管に接続された複数の分岐管を介して給湯器、台所、洗面所、浴室等へ夫々供給されることになり、家庭内で使用する全ての水道水を浄化処理することができる。
【０００７】
然し乍ら、上述した浄水器は、家庭内で使用する全ての水道水を浄水器内へ通すようにしているため、目詰まりを起こしたカートリッジを取り替える際には浄水器の上流側の水道管に介設した止水弁を閉鎖し、水道水の流れを止めてから浄水器内のカートリッジの取り替えを行わなければならなった。その結果、この浄水器に於いては、カートリッジの交換時には給水を停止しなければならず、この間家庭内で水道水を使用することができないと云う問題があった。
【０００８】
又、前記浄水器は、通常個人住宅に設置する際には地面に形成したピット内に縦向き姿勢で設置し、水道メーターの下流側に位置する水道管を浄水器の流入口及び流出口に夫々接続するようにしているが、浄水器の流入口及び流出口がピット内の底付近に位置するために流入口及び流出口への水道管の接続を行い難く、浄水器の設置に手間がかかって作業性及び取扱性に劣ると云う問題があった。
【０００９】
更に、前記浄水器は、密閉状の容器を基盤部とケーシングとヘッドキャップとに三分割し、基盤とケーシング及びケーシングとヘッドキャップを夫々複数本のボルトで締め付け、基盤部とケーシングとの間及びケーシングとヘッドキャップとの間を夫々シールするようにしているため、容器のシール個所が多くなって容器内の水道水が外部へ漏れ易くなると共に、容器を組み立てる際やヘッドキャップを取り外す際（カートリッジの交換時）に極めて手数が掛かると云う問題があった。
【特許文献１】特開２００２−５９１５３号公報
【考案の開示】
【考案が解決しようとする課題】
【００１０】
本考案は、このような問題点に鑑みて為されたものであり、その目的はカートリッジの交換時に水道水の流れを止めることなく、カートリッジの交換を行えると共に、地面に形成したピット内に設置する場合でも水道管への接続や三方弁の切り換え操作を簡単且つ容易に行え、然も、容器からの漏水を防止できるようにした浄水器を提供することにある。
【課題を解決するための手段】
【００１１】
上記目的を達成する為に、本考案の請求項１の考案は、下端部に水道水の流入口及び流出口を有する縦長の開閉可能な密閉状の容器と、容器内に着脱自在に内蔵され、容器内に流入した水道水を少なくとも浄化するフィルターを備えたカートリッジと、容器の流入口と流出口との間に設けられ、水道水の浄化時には上流側の水道管からの水道水を容器内へ流すと共に、カートリッジの交換時には上流側の水道管からの水道水を直接下流側の水道管側へ流す切り換え操作可能なバイパスユニットとから成る縦型の浄水器であって、前記バイパスユニットが、容器の流入口に接続されて上方へ立ち上げられた流入側ガイド管と、流入側ガイド管の上端部に二つある出口の一方の出口が接続された流入側三方弁と、容器の流出口に接続されて上方へ立ち上げられた流出側ガイド管と、流出側ガイド管の上端部に二つある入口の一方の入口が接続された流出側三方弁と、流入側三方弁の他方の出口と流出側三方弁の他方の入口を接続するバイパス管とを備えており、水道水の流れを切り換え操作する流入側三方弁及び流出側三方弁の高さ位置を容器の中間部と同じ高さ位置又は容器の中間部よりも高い位置としたことに特徴がある。
【００１２】
本考案の請求項２の考案は、容器の底部に水道水の流出口に連通する筒状の支持部を形成し、又、カートリッジの下端部に容器の支持部に着脱自在に嵌合されて浄化された水道水が流出する筒状の出口部を形成し、前記容器の支持部にカートリッジの出口部をＯリングを介して着脱自在に嵌合し、容器の支持部とカートリッジの出口部との間をＯリングによりシールするようにしたことに特徴がある。
【００１３】
本考案の請求項３の考案は、容器が、下端部に水道水の流入口及び流出口を有すると共に、上端部にフランジを備えた有底筒状の容器本体と、容器本体のフランジに重ね合わされるフランジを有し、容器本体の上方開口部を開閉するキャップと、重ね合わされた容器本体とキャップの両フランジに嵌め込まれ、両フランジを締め付け固定する半割り構造の環状のクランプとから成り、容器本体の上端部にキャップの内周面へ着脱自在に嵌合される上向きの環状の突出片を形成すると共に、当該突出片をＯリングを介してキャップの内周面に着脱自在に嵌合し、容器本体の突出片とキャップとの間をＯリングによりシールするようにしたことに特徴がある。
【考案の効果】
【００１４】
本考案の請求項１の浄水器は、下端部に水道水の流入口及び流出口を有する縦長の開閉可能な密閉状の容器と、容器内に着脱自在に内蔵され、容器内に流入した水道水を浄化するフィルターを備えたカートリッジと、容器の流入口と流出口との間に設けられ、水道水の浄化時には上流側の水道管からの水道水を容器内へ流すと共に、カートリッジの交換時には上流側の水道管からの水道水を直接下流側の水道管側へ流すバイパス管及び二つの三方弁等を備えたバイパスユニットとから構成しているため、目詰まりしたカートリッジを取り替える際には、二つの三方弁を切り換え操作して水道水の流れをバイパス管側へ切り換えることによって、水道水の流れを止めることなく、カートリッジの交換を行うことができる。その結果、本考案の浄水器を用いれば、カートリッジの交換時でも給水を停止する必要がなく、家庭内で常時水道水を使用することができる。
又、本考案の浄水器は、バイパスユニットが、容器の流入口及び流出口に夫々接続されて上方へ立ち上げられた流入側ガイド管及び流出側ガイド管と、両ガイド管の上端部に夫々接続されて水道管が接続される流入側三方弁及び流出側三方弁と、両三方弁同士を接続するバイパス管とを備えており、前記両三方弁の高さ位置を容器の中間部と同じ高さ位置又は容器の中間部よりも高い位置としているため、浄水器を地面に形成したピット内に縦向き姿勢で設置する場合、水道管に接続される流入側三方弁及び流出側三方弁の高さ位置がピットの底よりもかなり高い位置となる。その結果、本考案の浄水器は、地面に形成したピット内に設置する場合でも、浄水器への水道管の接続を行い易くなると共に、流入側三方弁及び流出側三方弁を切り換え操作する際にもその操作を行い易くなり、浄水器の設置や両三方弁の切り換え操作を簡単且つ容易に行え、作業性、取扱性及び操作性に優れている。
【００１５】
本考案の請求項２及び請求項３の浄水器は、上記効果に加えて更に次のような効果を奏することができる。
即ち、本考案の請求項２の浄水器は、容器の底部に水道水の流出口に連通する筒状の支持部を形成し、又、カートリッジの下端部に容器の支持部に着脱自在に嵌合されて浄化された水道水が流出する筒状の出口部を形成し、前記容器の支持部にカートリッジの出口部をＯリングを介して着脱自在に嵌合するようにしているため、容器とカートリッジとの間が確実にシールされることになる。その結果、流入口から流入した水道水は、容器の支持部とカートリッジの出口部との間から直接流出口に流出すると云うことがなく、カートリッジを通過してから流出口に流れることになり、カートリッジにより確実に浄化されることになる。
【００１６】
又、本考案の請求項３の浄水器は、容器が、下端部に水道水の流入口及び流出口を有すると共に、上端部にフランジを備えた有底筒状の容器本体と、容器本体のフランジに重ね合わされるフランジを有し、容器本体の上方開口部を開閉するキャップと、重ね合わされた容器本体とキャップの両フランジに嵌め込まれ、両フランジを締め付け固定する半割り構造の環状のクランプとから成り、容器本体の上端部にキャップの内周面へ着脱自在に嵌合される上向きの環状の突出片を形成し、当該突出片をＯリングを介してキャップの内周面に着脱自在に嵌合するようにしているため、クランプの締め付け力が弱い場合であっても、容器本体とキャップとの間から水道水が漏れると云うことがない。然も、本考案の浄水器は、容器自体のシール個所が容器本体とキャップとの間の一個所だけであるため、容器内の水道水が外部へより一層漏れ難くなっている。その結果、本考案の浄水器は、容器の内部から外部への水漏れを完全に防止することができると共に、シール部の耐圧性を向上させることがきる。
更に、本考案の浄水器は、容器本体のフランジとキャップのフランジとを半割り状のクランプで締め付け固定するよにしているため、容器を組み立てる際やキャップを取り外す際（カートリッジの交換時）でも、容器の組立やキャップの取り外しを簡単且つ容易に行えることになる。
【考案を実施するための最良の形態】
【００１７】
以下、本考案の実施の形態を図面に基づいて詳細に説明する。
図１は本考案の実施の形態に係るバイパス機能付きの浄水器を示し、当該浄水器は、個人住宅やマンション等の水道メーターの下流側に位置する水道管（図示省略）に介設されており、飲料用や調理用、洗面用、風呂用等に用いる水道水Ｗを浄化処理並びに活性化処理するようにしたものである。
【００１８】
即ち、前記浄水器は、図１に示す如く、下端部に水道水Ｗの流入口１ａ及び流出口１ｂを有する縦長の開閉可能な密閉状の容器Ａと、容器Ａ内に着脱自在に内蔵され、容器Ａ内に流入した水道水Ｗを浄化並びに活性化するフィルターを備えたカートリッジＢと、容器Ａの流入口１ａと流出口１ｂとの間に設けられ、水道水Ｗの浄化時には上流側の水道管からの水道水Ｗを容器Ａ側へ流すと共に、カートリッジＢの交換時には上流側の水道管からの水道水Ｗを直接下流側の水道管側へ流す切り換え操作可能なバイパスユニットＣとから構成されており、カートリッジＢの交換時に水道水Ｗの流れを止めることなく、カートリッジＢの取り替えを行えるようにした縦型の浄水器である。
【００１９】
前記容器Ａは、図１乃至図４に示す如く、水道水Ｗの流入口１ａ及び流出口１ｂを有する有底筒状の容器本体１と、容器本体１の上方開口部を開閉するキャップ２と、容器本体１とキャップ２を締め付け固定する半割り状のクランプ３とから成り、容器本体１とキャップ２との間をＯリング４によりシールすると共に、容器本体１とキャップ２との間の空間にカートリッジＢを収納するようになっている。
【００２０】
具体的には、容器本体１は、図４に示す如く、ＡＢＳ樹脂等の合成樹脂により有底筒状に形成されており、下端部の外周面には、水道水Ｗの流入口１ａを形成する筒状の流入側接続部１ｃと、水道水Ｗの流出口１ｂを形成する筒状の流出側接続部１ｄとが対向状に形成されている。
又、容器本体１の底部の中心部には、流出側接続部１ｄの流出口１ｂに連通してカートリッジＢの下端部が上方から着脱自在に挿着される上向きの筒状の支持部１ｅが形成されている。
更に、容器本体１の上端部には、外方へ水平姿勢で突設する環状のフランジ１ｆと、キャップ２の内周面に着脱自在に嵌合される上向きの環状の突出片１ｇとが容器本体１と一体的に形成されており、突出片１ｇの外周面には、Ｏリング４が嵌め込まれる環状のＯリング溝が形成されている。
【００２１】
キャップ２は、図４に示す如く、容器本体１と同じ材質のＡＢＳ樹脂等の合成樹脂によりお椀状に形成されており、その外周縁部には、容器本体１のフランジ１ｆに重ね合わされるフランジ２ａが形成されている。このキャップ２の下端部内周面には、容器本体１の突出片１ｇが密接状態で嵌合される環状の切欠２ｂが形成されている。
尚、このキャップ２の頂部には、キャップ２内に溜まる空気を外部へ逃がすと共に、浄化された水道水Ｗに塩素を含んだ水道水Ｗを適宜の量だけ混合させることができるバルブ５が設けられている。このバルブ５を制御することによって、浄水器での塩素除去の度合いを調節することができ、家庭内の末端の水道機器に於いて水質基準を満たす塩素濃度を確保することができる。
【００２２】
クランプ３は、図３及び図４に示す如く、断面形状がコの字形の環状部材を半割りにすることにより形成された二つの円弧状部材３ａと、二つの円弧状部材３ａの一端部同士を回動自在に連結するボルト３ｂ・ナット３ｃと、二つの円弧状部材３ａの他端部に形成された重合自在な締め付け片３ｄと、両締め付け片３ｄを連結固定する蝶ネジ３ｅとから成り、重ね合わされた容器本体１のフランジ１ｆとキャップ２のフランジ２ａに二つの円弧状部材３ａを嵌め込み、両円弧状部材３ａの締め付け片３ｄ同士を重ね合わせて両者を蝶ネジ３ｅで連結固定することによって、容器本体１のフランジ１ｆとキャップ２のフランジ２ａを締め付け固定することができる。
【００２３】
前記カートリッジＢは、図４に示す如く、水道水Ｗに含まれている比較的大きな異物を除去する円筒状の濁度フィルター６と、濁度フィルター６内に同心円上に配置され、水道水Ｗに含まれている塩素やトリハロメタン等の有害物質を除去する円筒状の繊維状活性炭フィルター７と、繊維状活性炭フィルター７内に同心円上に配置され、水道水Ｗを活性化するセラミックフィルター８と、一部分が容器本体１の筒状の支持部１ｅに挿入支持され、濁度フィルター６及び繊維状活性炭フィルター７の下端部を支持する円板状の下部支持板９と、濁度フィルター６及び繊維状活性炭フィルター７の上端部を支持する円板状の上部支持板１０とから構成されている。
【００２４】
具体的には、濁度フィルター６は、水道水Ｗに含まれている比較的大きな異物を除去して繊維状活性炭フィルター７を保護する役目をするものであり、不織布等により円筒状に形成されている。
又、繊維状活性炭フィルター７は、活性コークス炭を繊維状にして円筒状に固化したものであり、粒状活性炭と比較して同体積で１０倍以上の塩素除去力を持ち、流量も大きくて処理推量も３倍以上である。
更に、セラミックフィルター８は、図４に示す如く、両端部が開放された円筒状のケース８ａと、ケース８ａ内に充填された粒状のセラミックス８ｂと、ケース８ａの両端部開口に着脱自在に取り付けられ、セラミックス８ｂの流出を阻止する金属網製又はパンチングメタル製等のスクリーン８ｃとから成り、下端部側が容器本体１の筒状の支持部１ｅに挿入支持されている。このセラミックフィルター８のセラミックス８ｂには、界面活性及び浸透力の向上を図る粒状の圧電性電子セラミックス、溶解力及び熱伝導性の向上を図る粒状の遠赤外線セラミックス、味の改善を図る粒状のミネラルセラミックス、溶解力及び浸透力の向上を図る粒状の磁気セラミックス、抗菌のための粒状の銅イオンセラミックス等が使用されている。
【００２５】
そして、前記カートリッジＢは、その下端部に容器本体１の筒状の支持部１ｅに着脱自在に嵌合されて浄化された水道水Ｗが流出する筒状の出口部が形成されており、容器本体１の支持部１ｅにカートリッジＢの出口部をＯリング４を介して着脱自在に嵌合し、容器本体１の支持部１ｅとカートリッジＢの出口部との間をＯリング４によりシールするようになっている。この実施の形態に於いては、セラミックフィルター８の下端部がカートリッジＢの出口部となっており、セラミックフィルター８の下端部外周面と下部支持板９の容器本体１の支持部１ｅに挿入される筒部９ａ外周面とにＯリング４が嵌め込まれる環状のＯリング溝が形成されている。
【００２６】
前記バイパスユニットＣは、図１に示す如く、容器Ａの流入口１ａにユニオンナット１１を介して接続され、複数の短管及びエルボから成る上方へ立ち上げられた流入側ガイド管１２と、流入側ガイド管１２の上端部に二つある出口１４ａ，１４ｂの一方の出口１４ａがニップル１３を介して接続され、一つある入口１４ｃに水道管が接続される手動式の流入側三方弁１４と、容器Ａの流出口１ｂにユニオンナット１１を介して接続され、複数の短管及びエルボから成る上方へ立ち上げられた流出側ガイド管１５と、流出側ガイド管１５の上端部に二つある入口１６ａ，１６ｂの一方の入口１６ａがニップル１３を介して接続され、一つある出口１６ｃに水道管が接続される手動式の流出側三方弁１６と、流入側三方弁１４の他方の出口１４ｂ及び流出側三方弁１６の他方の入口１６ｂに夫々ニップル１３を介して接続され、流入側三方弁１４の他方の出口１４ｂと流出側三方弁１６の他方の入口１６ｂを連通させる下向きコの字状のバイパス管１７とから成り、水道水Ｗの流れを切り換え操作する流入側三方弁１４及び流出側三方弁１６の高さ位置が容器Ａの中間部と同じ高さ位置又は容器Ａの中間部よりも高い位置となるように構成されている。
この実施の形態に於いては、流入側三方弁１４及び流出側三方弁１６の高さ位置が容器Ａの中間部に対向する位置となるように、又、流入側三方弁１４の入口１４ｃ及び流出側三方弁１６の出口１６ｃが同じ方向へ向くように、流入側ガイド管１２及び流出側ガイド管１５の立ち上がり度合、長さ及び形状等が夫々選定されている。
【００２７】
次に、上述した構造の浄水器を一般家庭で使用する場合について説明する。
前記浄水器は、一般家庭の水道メーターの下流側の水道管に介設されており、流入側三方弁１４の入口１４ｃには、水道メーターに接続された水道管の一端部が接続され、又、流出側三方弁１６の出口１６ｃには、家庭内の水道蛇口や給湯機器等の末端の水道機器に水道水Ｗを夫々供給する分岐状の水道管の基端部が接続されている。
この浄水器は、水道管に接続する流入側三方弁１４及び流出側三方弁１６の高さ位置が容器Ａの中間部と略同じ高さ位置にあるため、浄水器自体を地面に形成したピット内に縦向きの姿勢で設置する場合でも、両三方弁１４，１６の高さ位置がピットの底からかなり高い位置となり、浄水器への水道管の接続を簡単且つ容易に行える。
【００２８】
前記浄水器を用いて水道水Ｗを浄化並びに活性化するには、水道メーター及び水道管からの水道水Ｗが浄水器の容器Ａ内を通過するように流入側三方弁１４及び流出側三方弁１６を切り換え操作する。
そうすると、水道管からの水道水Ｗは、流入側三方弁１４及び流入側ガイド管１２を経て流入口１ａから容器本体１とカートリッジＢの濁度フィルター６との間に形成された環状の空間に流入し、当該空間内を上方へ流れると共に、徐々に濁度フィルター６を通過し、濁度フィルター６と繊維状活性炭フィルター７との間に形成された環状の空間内に流入する。このとき、水道水Ｗに含まれている比較的大きな異物は、濁度フィルター６により除去される。
【００２９】
濁度フィルター６と繊維状活性炭フィルター７との間の空間に流入した水道水Ｗは、環状の空間内を上方へ流れると共に、徐々に繊維状活性炭フィルター７を通過し、繊維状活性炭フィルター７５とセラミックフィルター８との間に形成された環状の空間内に流入する。このとき、水道水Ｗに含まれている塩素等の有害物質が繊維状活性炭フィルター７により除去される。
【００３０】
繊維状活性炭フィルター７とセラミックフィルター８との間の空間に流入した水道水Ｗは、環状の空間内を上方へ流れた後、セラミックフィルター８の上方のスクリーン８ｃからセラミックフィルター８内に流入し、セラミックフィルター８内を下向きに流れて粒状のセラミックス８ｂと接触する。これによって、セラミックフィルター８内の水道水Ｗは、粒状のセラミックス８ｂと接触し、その分子が電気分解されたり、或いはセラミックス８ｂからの放射エネルギーを吸収して活性化される。
【００３１】
セラミックフィルター８内で活性化された水道水Ｗは、セラミックフィルター８の下方のスクリーン８ｃから浄水器の流出口１ｂへ流出し、流出口１ｂから流出側ガイド管１５、流出側三方弁１６及び水道管を通って建物内へ送られ、飲料用や調理用、洗面用、風呂用等に使用される。
【００３２】
この浄水器は、容器Ａの底部に水道水Ｗの流出口１ｂに連通する筒状の支持部１ｅを形成し、又、カートリッジＢの下端部に容器Ａの支持部１ｅに着脱自在に嵌合されて浄化された水道水Ｗが流出する筒状の出口部を形成し、前記容器Ａの支持部１ｅにカートリッジＢの出口部をＯリング４を介して着脱自在に嵌合するようにしているため、容器ＡとカートリッジＢとの間が確実にシールされることになる。その結果、流入口１ａから流入した水道水Ｗは、容器Ａの支持部１ｅとカートリッジＢの出口部との間から直接流出口１ｂに流出すると云うことがなく、カートリッジＢを通過してから流出口１ｂに流れることになり、カートリッジＢにより確実に浄化並びに活性化されることになる。
又、容器本体１の上端部にキャップ２の内周面に嵌合される上向きの環状の突出片１ｇを形成し、当該突出片１ｇをＯリング４を介してキャップ２の内周面へ嵌合し、容器本体１とキャップ２との間をＯリング４によりシールようにしているため、クランプ３の締め付け力が弱い場合であっても、容器本体１とキャップ２との間から水道水Ｗが漏れると云うことがない。然も、容器Ａ自体のシール個所が容器本体１とキャップ２との間の一個所だけであるため、容器Ａ内の水道水Ｗが外部へより一層漏れ難くなっている。その結果、容器Ａの内部から外部への水漏れを完全に防止することができると共に、シール部の耐圧性を向上させることがきる。
【００３３】
そして、浄水器を一定期間使用し、カートリッジＢの濁度フィルター６や繊維状活性炭フィルター７が目詰まりを起こしたり、セラミックフィルター８の粒状のセラミックス８ｂに摩耗や損傷、汚れ等が発生したりした場合には、浄水器のカートリッジＢを新しいカートリッジＢに取り替える。
【００３４】
浄水器のカートリッジＢを交換する場合には、水道管からの水道水ＷがバイパスユニットＣのバイパス管１７内を流れるように流入側三方弁１４及び流出側三方弁１６を切り換え操作し、この状態で容器Ａのキャップ２を容器本体１から取り外すと共に、容器本体１内のカートリッジＢを取り外し、その後新しいカートリッジＢを容器本体１の支持部１ｅに挿着してキャップ２をクランプ３により容器本体１に気密状に取り付ける。
このとき、流入側三方弁１４及び流出側三方弁１６を操作して水道水Ｗの流れをバイパス管１７側へ切り換えているため、水道水Ｗの流れを止めることなく、カートリッジＢの交換を行うことができる。その結果、カートリッジＢの交換時でも給水を停止する必要がなく、家庭内で常時水道水Ｗを使用することができる。
又、浄水器を地面に形成したピット内に設置している場合でも、水道水Ｗの流れを切り換え操作する流入側三方弁１４及び流出側三方弁１６の高さ位置がピットの底からかなり高い位置となって地面の近傍に位置するため、両三方弁１４，１６を切り換え操作する際にその操作を簡単且つ容易に行える。
更に、容器本体１のフランジ１ｆとキャップ２のフランジ２ａとを半割り状のクランプ３で締め付け固定するよにしているため、容器Ａを組み立てる際やキャップ２を取り外す際（カートリッジＢの交換時）でも、容器Ａの組立やキャップ２の取り外しを簡単且つ容易に行えることになる。特に、クランプ３は、二つの円弧状部材３ａの一端部同士をボルト３ｂ・ナット３ｃで回動自在に連結しているため、二つの円弧状部材３ａの他端部同士を一つの蝶ネジ３ｅで締め付けるだけで容器本体１のフランジ１ｆとキャップ２のフランジ２ａとを締め付けることができ、部品点数を必要最小限に抑えることができる。
【００３５】
尚、上記実施の形態に於いては、流入側三方弁１４及び流出側三方弁１６の高さ位置を容器Ａの中間部に対向する位置としたが、他の実施の形態に於いては、流入側三方弁１４及び流出側三方弁１６の高さ位置を容器Ａの上端部に対向する位置としても良い。又、流入側三方弁１４の入口１４ｃと流出側三方弁１６の出口１６ｃが同じ方向を向くように両三方弁１４，１６を配置するようにしたが、他の実施の形態に於いては、流入側三方弁１４の入口１４ｃと流出側三方弁１６の出口１６ｃとが夫々反対方向を向くように両三方弁１４，１６を配置するようにしても良い。更に、流入側三方弁１４及び流出側三方弁１６に手動式のものを使用するようにしたが、他の実施の形態に於いては、両三方弁１４，１６に電磁式のものを使用するようにしても良い。
【００３６】
上記実施の形態に於いては、流入側ガイド管１２及び流出側ガイド管１５を夫々複数の短管及びエルボにより形成するようにしたが、他の実施の形態に於いては、一本のパイプを略Ｚ状に折り曲げて流入側ガイド管１２及び流出側ガイド管１５を夫々形成するようにしても良い。又、流入側ガイド管１２及び流出側ガイド管１５の形状及び長さも、上記実施の形態に係るものに限定されるものではなく、流入側三方弁１４及び流出側三方弁１６の高さや向きに応じて適宜に変更されることは勿論である。
【００３７】
上記実施の形態に於いては、下部支持板９の筒部９ａの外周面及びセラミックフィルター８の下端部の外周面にＯリング４が嵌め込まれる環状のＯリング溝を形成するようにしたが、他の実施の形態に於いては、容器本体１の支持部１ｅの内周面（下部支持板９の筒部９ａ及びセラミックフィルター８の下端部が嵌合される部分）にＯリング４が嵌め込まれる環状のＯリング溝（図示省略）を形成するようにしても良い。
【００３８】
上記実施の形態に於いては、容器本体１の突出片１ｇの外周面にＯリング４が嵌め込まれる環状のＯリング溝を形成するようにしたが、他の実施の形態に於いては、キャップ２の内周面（容器本体１の突出片１ｇが嵌合される部分）にＯリング４が嵌め込まれる環状のＯリング溝（図示省略）を形成するようにしても良い。
【００３９】
上記実施の形態に於いては、容器本体１の突出片１ｇの外周面にＯリング溝を一つだけ形成するようにしたが、他の実施の形態に於いては、容器本体１の突出片１ｇの外周面に複数列のＯリング溝（図示省略）を形成し、各Ｏリング溝にＯリング４を夫々嵌め込むようにしても良く、又、キャップ２の内周面及び容器本体１の支持部１ｅの内周面に夫々複数列のＯリング溝（図示省略）を形成し、各Ｏリング溝にＯリング４を夫々嵌め込むようにしても良い。この場合には、容器本体１とキャップ２との間、容器本体１とカートリッジＢとの間のシールをより一層確実に行えることになる。
【００４０】
上記実施ｋ形態に於いては、カートリッジＢを濁度フィルター６と繊維状活性炭フィルター７とセラミックフィルター８とから構成したが、カートリッジＢを濁度フィルター６と繊維状活性炭フィルター７とから構成しても良く、又、カートリッジＢを繊維状活性炭フィルター７のみで構成しても良い。更に、繊維状活性炭フィルター７の替わりに綿糸やポリプロピレン製の糸、逆浸透膜、中空糸等から形成したフィルターをするようにしても良い。
【図面の簡単な説明】
【００４１】
【図１】本考案の実施の形態に係る浄水器の正面図である。
【図２】浄水器の側面図である。
【図３】浄水器の平面図である。
【図４】浄水器の一部を省略した縦断面図である。
【符号の説明】
【００４２】
Ａは容器、Ｂはカートリッジ、Ｃはバイパスユニット、Ｗは水道水、１は容器、１ａは流入口、１ｂは流出口、１ｅは支持部、１ｆはフランジ、１ｇは突出片、２はキャップ、２ａはフランジ、３はクランプ、４はＯリング、１２は流入側ガイド管、１４は流入側三方弁、１４ａ，１４ｂは流入側三方弁の出口、１４ｃは流入側三方弁の入口、１５は流出側ガイド管、１６は流出側三方弁、１６ａ，１６ｂは流出側三方弁の入口、１６ｃは流出側三方弁の出口、１７はバイパス管。
【図１】
0003108450.tif 000003
【図２】
0003108450.tif 000004
【図３】
0003108450.tif 000005
【図４】
0003108450.tif 000006